(57)【要約】【課題】着信時刻によって着信転送を切替制御する。【解決手段】記憶部１６に、転送先電話番号と転送時間帯を組として記憶しておき、制御部１７で、網側からの着信通知に応じて前記計時部１５から当該着信の着信時刻を取得して、当該着信時刻と前記記憶部１６の前記転送時間帯とを比較し、その比較結果に基づいて当該転送先電話番号への着信転送可否を判断する。【選択図】  図１
2008153823.tif 000002
【特許請求の範囲】
【請求項１】
網側からの着信通知に応じて、予め登録されている転送先電話番号を記憶部から読み出し、その転送先電話番号を転送先として指定した着信転送要求を網へ通知する制御部を備える携帯電話装置であって、
時刻を計時する計時部を備え、
前記記憶部は、転送先電話番号と転送時間帯を組として記憶し、
前記制御部は、網側からの着信通知に応じて前記計時部から当該着信の着信時刻を取得して、当該着信時刻と前記記憶部の前記転送時間帯とを比較し、その比較結果に基づいて当該転送先電話番号への着信転送可否を判断する
ことを特徴とする携帯電話装置。
【請求項２】
請求項１に記載の携帯電話装置において、
前記制御部は、前記着信時刻が前記転送時間帯に含まれる場合、前記転送先電話番号への着信転送は可能と判断し、前記着信時刻が前記転送時間帯に含まれない場合、前記転送先電話番号への着信転送は不可と判断することを特徴とする携帯電話装置。
【請求項３】
請求項１に記載の携帯電話装置において、
前記記憶部は、前記組を複数記憶し、
前記制御部は、前記比較の際、前記記憶部の各組について前記着信時刻と前記転送時間帯とを比較する
ことを特徴とする携帯電話装置。
【請求項４】
網側からの着信通知に応じて、予め登録されている転送先電話番号を記憶部から読み出し、その転送先電話番号を転送先として指定した着信転送要求を網へ通知する制御部を備える携帯電話装置の着信転送制御方法であって、
計時部により、時刻を計時するステップと、
記憶部により、転送先電話番号と転送時間帯を組として記憶するステップと、
前記制御部により、網側からの着信通知に応じて前記計時部から当該着信の着信時刻を取得して、当該着信時刻と前記記憶部の前記転送時間帯とを比較し、その比較結果に基づいて当該転送先電話番号への着信転送可否を判断するステップと
を備えることを特徴とする携帯電話装置の着信転送制御方法。
【発明の詳細な説明】
【技術分野】
【０００１】
本発明は、携帯電話制御技術に関し、特に携帯電話装置への着信を所定の転送先へ転送する着信転送制御技術に関する。
【背景技術】
【０００２】
携帯電話装置には、網側からの着信に対して応答できない場合の機能として、任意の転送先へ当該着信を自動的に転送する着信転送機能が設けられている。この着信転送機能が利用者により有効な状態に設定されている場合、携帯電話装置は、網側からの着信通知に応じて、予め利用者の操作に応じて登録されている転送先電話番号をメモリから読み出し、その転送先電話番号を転送先として指定した着信転送要求を網へ通知する。これにより、網側で、その着信転送要求で指定されている転送先電話番号へ当該携帯電話装置宛てに着信が転送される。
【０００３】
従来、このような着信転送技術として、発信者電話番号、転送先電話番号、および転送時間を組として予めテーブルに設定しておき、任意の発信者電話番号の電話機からの着信が検出された場合には、テーブルを参照して当該発信者電話番号に対応する転送時間だけ呼び出しを行い、その呼び出しに対して応答がなかった場合は、当該発信者電話番号に対応する転送先電話番号の電話機へ着信転送する技術が提案されている（例えば、特許文献１など参照）。
【０００４】
【特許文献１】特開２００２−０９４６７７号公報
【発明の開示】
【発明が解決しようとする課題】
【０００５】
しかしながら、このような従来技術では、絶対的な時間すなわち着信時刻に基づいて転送制御することができないという問題点があった。
すなわち従来技術で用いている転送時間は、呼び出された携帯電話装置において着信表示を行う期間すなわち着信呼出期間を示す時間情報であり、着信からの相対的な経過時間に基づいて転送制御している。このため、例えば携帯電話装置を仕事とプライベートで共用している場合に就業時間帯にのみ所定の着信転送先へ着信転送するなど、着信時刻によって着信転送を切替制御することができない。
本発明はこのような課題を解決するためのものであり、着信時刻によって着信転送を切替制御できる携帯電話装置およびその着信転送制御方法を提供することを目的としている。
【課題を解決するための手段】
【０００６】
このような目的を達成するために、本発明にかかる携帯電話装置は、網側からの着信通知に応じて、予め登録されている転送先電話番号を記憶部から読み出し、その転送先電話番号を転送先として指定した着信転送要求を網へ通知する制御部を備える携帯電話装置であって、時刻を計時する計時部を備え、記憶部は、転送先電話番号と転送時間帯を組として記憶し、制御部は、網側からの着信通知に応じて計時部から当該着信の着信時刻を取得して、当該着信時刻と記憶部の転送時間帯とを比較し、その比較結果に基づいて当該転送先電話番号への着信転送可否を判断するようにしたものである。
【０００７】
この際、制御部で、着信時刻が転送時間帯に含まれる場合、転送先電話番号への着信転送は可能と判断し、着信時刻が転送時間帯に含まれない場合、転送先電話番号への着信転送は不可と判断するようにしてもよい。
【０００８】
また、記憶部で、組を複数記憶し、制御部で、比較の際、記憶部の各組について着信時刻と転送時間帯とを比較するようにしてもよい。
【０００９】
また、本発明にかかる携帯電話装置の着信転送制御方法は、網側からの着信通知に応じて、予め登録されている転送先電話番号を記憶部から読み出し、その転送先電話番号を転送先として指定した着信転送要求を網へ通知する制御部を備える携帯電話装置の着信転送制御方法であって、計時部により、時刻を計時するステップと、記憶部により、転送先電話番号と転送時間帯を組として記憶するステップと、制御部により、網側からの着信通知に応じて計時部から当該着信の着信時刻を取得して、当該着信時刻と記憶部の転送時間帯とを比較し、その比較結果に基づいて当該転送先電話番号への着信転送可否を判断するステップとを備えている。
【発明の効果】
【００１０】
本発明によれば、制御部により、網側からの着信通知に応じて計時部から当該着信の着信時刻が取得されて、当該着信時刻と記憶部の転送時間帯とが比較され、その比較結果に基づいて当該転送先電話番号への着信転送可否を判断されるため、着信時刻によって着信転送を切替制御することができる。
これにより、例えば携帯電話装置を仕事とプライベートで共用している場合に就業時間帯にのみ所定の着信転送先へ着信転送するなど、着信時刻によって着信転送を切替制御することができる。
【発明を実施するための最良の形態】
【００１１】
次に、本発明の実施の形態について図面を参照して説明する。
［第１の実施の形態］
まず、図１を参照して、本発明の第１の実施の形態にかかる携帯電話装置について説明する。図１は、本発明の第１の実施の形態にかかる携帯電話装置の構成を示すブロック図である。
【００１２】
この携帯電話装置１は、無線回線１０を介して携帯電話網５に接続され、携帯電話網５を介して接続された電話装置と通話を行う電話端末であり、携帯電話網５側からの着信通知に応じて、予め登録されている転送先電話番号を記憶部から読み出し、その転送先電話番号を転送先として指定した着信転送要求を携帯電話網５へ通知することにより着信転送を行う機能を備えている。
【００１３】
本実施の形態では、記憶部に、転送先電話番号と転送時間帯を組として記憶しておき、制御部で、網側からの着信通知に応じて計時部から当該着信の着信時刻を取得して、当該着信時刻と記憶部の転送時間帯とを比較し、その比較結果に基づいて当該転送先電話番号への着信転送可否を判断するようにしたものである。
【００１４】
次に、図１を参照して、本発明の第１の実施の形態にかかる携帯電話装置の構成について説明する。
携帯電話装置１には、主な機能部として、無線インターフェース部（以下、無線Ｉ／Ｆ部という）１１、音声処理部１２、操作入力部１３、画面表示部１４、記憶部１６、および制御部１７が設けられており、これらはデータバスを介して相互に接続されている。
【００１５】
無線Ｉ／Ｆ部１１は、専用の無線通信回路からなり、無線回線１０を介して携帯電話網５とデータ通信を行うことにより、着信通知や着信転送要求などの各種呼制御情報や音声データを送受信する機能を有している。
音声処理部１２は、専用の音声処理回路からなり、無線Ｉ／Ｆ部１１からの音声データを音声信号に復号してスピーカ（図示せず）から出力する機能と、マイク（図示せず）から入力された音声信号を音声データに符号化して無線Ｉ／Ｆ部１１へ渡す機能と、制御部１７からの指示に基づき着信音などの各種信号音をスピーカから出力する機能とを有している。
【００１６】
操作入力部１３は、ダイヤルキーや機能キーからなり、利用者の各種操作を検出して制御部１７へ出力する機能を有している。
画面表示部１４は、ＬＣＤなどの画面表示装置からなり、制御部１７からの指示に応じて、着信転送設定メニューなどの各種設定画面や通話情報を画面表示する機能を有している。
計時部１５は、専用の時計回路からなり、時刻を計時して制御部１７へ出力する機能を有している。
【００１７】
記憶部１６は、メモリなどの記憶装置からなり、動作モード情報１６Ａや転送登録情報１６Ｂなど制御部１７での処理に用いる各種処理情報やプログラム１６Ｐを記憶する機能を有している。
プログラム１６Ｐは、制御部１７に読み込まれて実行されることにより各種機能手段を実現するプログラムであり、予め記憶部１６に格納されている。
動作モード情報１６Ａは、着信転送機能を用いた着信転送制御を行う着信転送モードの有効／無効など、携帯電話装置１の各種動作モードの有効／無効を示す情報であり、操作入力部１３で検出された利用者操作に応じて制御部１７により更新設定される。
【００１８】
図２は、転送登録情報の構成例である。転送登録情報１６Ｂは、転送先電話番号と転送時間帯の組からなり、利用者の操作に応じて予め設定される。転送先電話番号は、携帯電話装置１への着信を転送したい電話装置の電話番号である。転送時間帯は、転送先電話番号への着信転送を行う時間帯を示しており、当該時間帯の開始頭時点を示す転送開示時刻と当該時間帯の転送終了時刻から構成されている。図２の例では、転送開始時刻「９：００」から転送終了時刻「１７：００」までの時間帯に着信があった場合、転送先電話番号「０４５−１２３−ＸＸＸＸ」の電話装置へその着信が転送される。
【００１９】
制御部１７は、ＣＰＵなどのマイクロプロセッサとその周辺回路からなり、記憶部１６のプログラム１６Ｐを読み込んで実行することにより、上記ハードウェアとプログラムとを協働させて各種機能を実現する。
制御部１７の主な機能としては、無線Ｉ／Ｆ部１１を介して携帯電話網５と各種呼制御情報を送受信することにより、携帯電話装置１における各種呼制御を行う機能を有している。
【００２０】
また、着信転送制御に関する機能として、操作入力部１３で検出された利用者操作に応じて着信転送設定メニューを画面表示部１４に画面表示し、着信転送モードの有効／無効や着信転送動作に関する転送登録情報１６Ｂの内容を記憶部１６に設定登録する機能と、携帯電話網５からの着信通知に応じて計時部１５から取得した当該着信の着信時刻を、記憶部１６から読み出した転送登録情報１６Ｂの転送時間帯と比較し、その比較結果に基づいて当該転送先電話番号への着信転送可否を判断する機能と、着信転送可の場合にのみ記憶部１６の転送登録情報１６Ｂから転送先電話番号を読み出し、その転送先電話番号を転送先として指定した着信転送要求を携帯電話網５へ通知する機能とを有している。
【００２１】
［第１の実施の形態の動作］
次に、図３を参照して、本発明の第１の実施の形態にかかる携帯電話装置の動作について説明する。図３は、本発明の第１の実施の形態にかかる携帯電話装置の着信転送動作を示すシーケンス図である。ここでは、相手携帯電話装置２からの着信を転送先電話装置３へ転送する場合を例として説明する。
【００２２】
まず、図３を参照して、携帯電話装置１における着信転送動作の概略を説明する。
制御部１７は、操作入力部１３で検出された利用者操作に応じて、後述の図４に示す着信転送設定処理を実行し、着信転送設定メニューを画面表示部１４に画面表示し、着信転送機能の有効／無効や着信転送動作に関する転送登録情報１６Ｂの内容を設定する（ステップ１００）。
これにより、携帯電話装置の動作モードとして着信転送モードが「有効」である旨が設定されて記憶部１６の動作モード情報１６Ａに保存されるとともに、転送先電話番号や転送時間帯が設定されて記憶部１６の転送登録情報１６Ｂに保存される。したがって、これ以降の携帯電話網からの着信通知に応じて、転送登録情報１６Ｂに基づく着信転送制御が行われるものとなる。
【００２３】
この後、相手携帯電話装置２から無線回線２０を介して携帯電話装置１を着信先とする発信要求が送信された場合（ステップ１０１）、携帯電話網５から無線回線１０を介して携帯電話端末１へ着信通知が送信される（ステップ１０２）。
携帯電話装置１の制御部１７は、無線Ｉ／Ｆ部１１を介して着信通知を受信した場合、記憶部１６の動作モード情報１６Ａにおいて着信転送モードが「有効」に設定されていることから、後述する図６の着信転送制御処理を実行し、計時部１５から取得した当該着信の着信時刻を、記憶部１６から読み出した転送登録情報１６Ｂの転送時間帯と比較し、その比較結果に基づいて当該転送先電話番号への着信転送可否を判断する（ステップ１０３）。
【００２４】
ここで、着信時刻が転送時間帯の範囲内になく着信転送不可と判断した場合（ステップ１０４：ＮＯ）、制御部１７は、音声処理部１２での着信音送出や画面表示部１４での画面表示により着信表示を行う（ステップ１０５）。
一方、着信時刻が転送時間帯の範囲内にあり着信転送可と判断した場合（ステップ１０４：ＹＥＳ）、制御部１７は、記憶部１６の転送登録情報１６Ｂから転送先電話番号を読み出し、その転送先電話番号を転送先として指定した着信転送要求を、無線Ｉ／Ｆ部１１から無線回線１０を介して携帯電話網５へ通知する（ステップ１０６）。
【００２５】
この着信転送要求に応じて、携帯電話網５は、その着信転送要求で指定された着信転送先電話番号へ着信通知を行う（ステップ１０５）。この場合、転送着信先電話番号として公衆電話網６に接続されている転送先電話装置３が指定されているため、着信通知は網間接続回線５０から公衆電話網６を介して転送先電話装置３へ送信される。
転送電話装置３は、この着信通知に応じて着信表示を行い、利用者の応答操作に応じて応答通知を返送する（ステップ１０６）。
【００２６】
この応答通知は、公衆電話網６、網間接続回線５０、携帯電話網６、および無線回線２０を介して相手携帯電話装置２へ通知される。
これにより、携帯電話装置１への着信が転送先電話装置３へ着信転送され、携帯電話網５および公衆電話網６を介して、相手携帯電話装置２と転送先電話装置３との通話が開始される。
【００２７】
［着信転送設定処理］
次に、図４を参照して、本発明の第１の実施の形態にかかる携帯電話装置の着信転送設定処理について説明する。図４は、本発明の第１の実施の形態にかかる携帯電話装置の着信転送設定処理を示すフローチャートである。
制御部１７は、操作入力部１３で検出された利用者操作に応じて、図４に示す着信転送設定処理を実行する。
【００２８】
まず、制御部１７は、着信転送設定メニューを画面表示部１４に画面表示する（ステップ１１０）。図５は、着信転送設定メニューであり、各種メニュー項目が表示されている。制御部１７は、操作入力部１３で検出された利用者操作に応じて、いずれかのメニュー項目が選択される。
ここで、メニュー項目として「転送先電話番号設定」が選択された場合（ステップ１１１：ＹＥＳ）、その後に操作入力部１３から操作入力された電話番号を転送先電話番号として記憶部１６の転送登録情報１６Ｂへ登録し（ステップ１１２）、ステップ１１０へ戻る。
【００２９】
また、メニュー項目として「転送開始時刻設定」が選択された場合（ステップ１１３：ＹＥＳ）、その後に操作入力部１３から操作入力された時刻を転送開始時刻として記憶部１６の転送登録情報１６Ｂへ登録し（ステップ１１４）、ステップ１１０へ戻る。
また、メニュー項目として「転送終了時刻設定」が選択された場合（ステップ１１５：ＹＥＳ）、その後に操作入力部１３から操作入力された時刻を転送終了時刻として記憶部１６の転送登録情報１６Ｂへ登録し（ステップ１１６）、ステップ１１０へ戻る。
【００３０】
また、メニュー項目として「着信転送モード設定」が選択された場合（ステップ１１７：ＹＥＳ）、その後に操作入力部１３から操作入力されたモード切替操作に応じて、現行の着信転送モードの有効／無効を切り替え、記憶部１６の動作モード情報１６Ａへ登録し（ステップ１１８）、ステップ１１０へ戻る。
また、画面下の「終了」ボタンが選択された場合（ステップ１１９：ＹＥＳ）、制御部１７は、画面表示部１４での着信転送設定メニューの表示を終了し（ステップ１２０）、一連の着信転送設定処理を終了する。
【００３１】
［着信転送制御処理］
次に、図６を参照して、本発明の第１の実施の形態にかかる携帯電話装置の着信転送制御処理について説明する。図６は、本発明の第１の実施の形態にかかる携帯電話装置の着信転送制御処理を示すフローチャートである。
制御部１７は、無線Ｉ／Ｆ部１１を介して着信通知を受信した場合、記憶部１６の動作モード情報１６Ａにおいて着信転送モードが「有効」に設定されている場合には、図６の着信転送制御処理を実行する。
【００３２】
まず、制御部１７は、計時部１５から現在の時刻を着信時刻として取得する（ステップ１３０）。続いて、記憶部１６から転送登録情報１６Ｂを取得し（ステップ１３１）、着信時刻を転送登録情報１６Ｂの転送時間帯と比較する（ステップ１３２）。
【００３３】
ここで、着信時刻が転送開始時刻と転送終了時刻の間の時刻を示す場合（ステップ１３３：ＹＥＳ）、制御部１７は、記憶部１６の転送登録情報１６Ｂから転送先電話番号を取得し、この転送先電話番号を転送先として指定した着信転送要求を、無線Ｉ／Ｆ部１１から無線回線１０を介して携帯電話網５へ送信し（ステップ１３４）、一連の着信転送制御処理を終了する。
また、着信時刻が転送開始時刻と転送終了時刻の間の時刻を示す場合（ステップ１３３：ＮＯ）、制御部１７は、着信転送要求を送信せず、一連の着信転送制御処理を終了する。
【００３４】
このように、本実施の形態では、記憶部１６に、転送先電話番号と転送時間帯を組として記憶しておき、制御部１７で、網側からの着信通知に応じて計時部１５から当該着信の着信時刻を取得して、当該着信時刻と記憶部１６の転送時間帯とを比較し、その比較結果に基づいて当該転送先電話番号への着信転送可否を判断するようにしたので、着信時刻によって着信転送を切替制御することができる。
これにより、例えば携帯電話装置を仕事とプライベートで共用している場合に就業時間帯にのみ所定の着信転送先へ着信転送するなど、着信時刻によって着信転送を切替制御することができる。
【００３５】
［第２の実施の形態］
次に、図７を参照して、本発明の第２の実施の形態にかかる携帯電話装置について説明する。図７は、本発明の第２の実施の形態にかかる携帯電話装置の着信転送制御処理を示すフローチャートである。
第１の実施の形態では、記憶部１６の転送登録情報１６Ｂに、転送先電話番号と転送時間帯の組が１つだけ登録されている場合を例として説明した。本実施の形態では、上記組が複数登録されている場合について説明する。なお、携帯電話装置１の構成および着信転送動作の概略については前述の図１および図３と同等であり、ここでの詳細な説明は省略する。
【００３６】
［着信転送制御処理］
次に、図７を参照して、本発明の第２の実施の形態にかかる携帯電話装置の着信転送制御処理について説明する。
制御部１７は、無線Ｉ／Ｆ部１１を介して着信通知を受信した場合、記憶部１６の動作モード情報１６Ａにおいて着信転送モードが「有効」に設定されている場合には、図７の着信転送制御処理を実行する。
【００３７】
まず、制御部１７は、計時部１５から現在の時刻を着信時刻として取得し（ステップ１３０）、続いて、記憶部１６から転送登録情報１６Ｂを取得する（ステップ１３１）。
図８は、転送登録情報の他の構成例である。この転送登録情報１６Ｂには、転送先電話番号と転送時間帯の組が２つ登録されており、この例では、転送開始時刻「９：００」から転送終了時刻「１２：００」までの時間帯に着信があった場合、転送先電話番号「０４５−１２３−ＸＸＸＸ」の電話装置へその着信が転送され、転送開始時刻「１３：００」から転送終了時刻「１７：００」までの時間帯に着信があった場合、転送先電話番号「０４５−１２３−ＹＹＹＹ」の電話装置へその着信が転送される。
【００３８】
制御部１７は、転送登録情報１６Ｂから未処理の組の転送時間帯として転送開始時刻と転送終了時刻を取得し（ステップ１４０）、着信時刻を転送開始時刻および転送終了時刻と比較する（ステップ１３２）。
【００３９】
ここで、着信時刻が転送開始時刻と転送終了時刻の間の時刻を示す場合（ステップ１３３：ＹＥＳ）、制御部１７は、記憶部１６の転送登録情報１６Ｂから転送先電話番号を取得し、この転送先電話番号を転送先として指定した着信転送要求を、無線Ｉ／Ｆ部１１から無線回線１０を介して携帯電話網５へ送信し（ステップ１３４）、一連の着信転送制御処理を終了する。
【００４０】
一方、着信時刻が転送開始時刻と転送終了時刻の間の時刻を示す場合（ステップ１３３：ＮＯ）、制御部１７は、転送登録情報１６Ｂに未処理の組の転送時間帯があるか確認し、未処理の転送時間帯がある場合は（ステップ１４１：ＹＥＳ）、ステップ１４０へ移行して、未処理の組の転送時間帯に関する着信転送制御を繰り返し実行する。また、すべての組の転送時間帯に関する着信転送制御が終了した場合は（ステップ１４１：ＮＯ）、着信転送要求を送信せず、一連の着信転送制御処理を終了する。
【００４１】
このように本実施の形態は、記憶部１６から転送登録情報１６Ｂに、転送先電話番号と転送時間帯の組を複数登録しておき、これに組の転送時間帯と着信時刻とをそれぞれ比較して着信転送可否を判断するようにしたので、時間帯に応じてそれぞれ異なる着信転送先へ着信転送することができる。
これにより、例えば図８のような内容で転送登録情報１６Ｂを登録しておくことにより、午前と午後で在席する場所が異なる場合でも、その時間帯に応じてそれぞれの着信転送先へ着信転送することができる。
【図面の簡単な説明】
【００４２】
【図１】本発明の第１の実施の形態にかかる携帯電話装置の構成を示すブロック図である。
【図２】転送登録情報の構成例である。
【図３】本発明の第１の実施の形態にかかる携帯電話装置の着信転送動作を示すシーケンス図である。
【図４】本発明の第１の実施の形態にかかる携帯電話装置の着信転送設定処理を示すフローチャートである。
【図５】着信転送設定メニューの画面表示例である。
【図６】本発明の第１の実施の形態にかかる携帯電話装置の着信転送制御処理を示すフローチャートである。
【図７】本発明の第２の実施の形態にかかる携帯電話装置の着信転送制御処理を示すフローチャートである。
【図８】転送登録情報の他の構成例である。
【符号の説明】
【００４３】
１…携帯電話装置、１１…無線Ｉ／Ｆ部、１２…音声処理部、１３…操作入力部、１４…画面表示部、１５…計時部、１６…記憶部、１６Ａ…動作モード情報、１６Ｂ…転送登録情報、１６Ｐ…プログラム、１７…制御部、１０…無線回線、２…相手携帯電話装置、２０…無線回線、３…転送先電話装置、３０…電話回線、５…携帯電話網、５０…網間接続回線、６…公衆電話網。
【図１】
2008153823.tif 000003
【図２】
2008153823.tif 000004
【図３】
2008153823.tif 000005
【図４】
2008153823.tif 000006
【図５】
2008153823.tif 000007
【図６】
2008153823.tif 000008
【図７】
2008153823.tif 000009
【図８】
2008153823.tif 000010